(57)【要約】      （修正有）【課題】地震や火災等の災害時にスリッパを履いたまま外に飛び出した場合であっても、中底に収納した靴下を履くことにより、外観上普通の靴を履いた場合のように見えると共に、避難の際に素早く行動することができるスリッパを提供する。【解決手段】スリッパ１０の中底１２に、足Ｆに装着可能であって前記スリッパ１０の中底１２に前記スリッパ１０の踵部からスリッパの前方に向けて折り畳んで収納されてなる足装着部１３を一体的に備えるように構成した。【選択図】図８
0003174048.tif 000002
【実用新案登録請求の範囲】
【請求項１】
スリッパの中底に、足に装着可能であって前記スリッパの中底に前記スリッパの踵部からスリッパの前方に向けて折り畳んで収納されてなる足装着部を一体的に備えることを特徴とするスリッパ。
【請求項２】
前記足装着部は足に装着可能な底のない略靴下形状にて形成されると共に、スリッパの底板及び中底の間に前記足装着部の周縁を折り込んで介装して形成されてなることを特徴とする請求項１に記載のスリッパ。
【請求項３】
前記足装着部は足に装着可能な有底の略靴下形状にて形成されると共に、スリッパの底板及び中底の間に前記足装着部の底を介装して形成されてなることを特徴とする請求項１に記載のスリッパ。
【請求項４】
前記スリッパに折り畳んで収納された前記足装着部の上部を覆うカバー体が被覆されて形成されてなることを特徴とする請求項１乃至請求項３の何れかに記載のスリッパ。
【請求項５】
前記スリッパの先端部に、折り畳んで収納された前記足装着部の先端部を挿入するポケット部が形成されてなることを特徴とする請求項１乃至請求項３の何れかに記載のスリッパ。
【考案の詳細な説明】
【技術分野】
【０００１】
本考案は、スリッパ本体に、足に直接履く足装着部を備えるスリッパに関する。
【背景技術】
【０００２】
旅館、ホテルや病院、その他の施設等においては、靴を一旦脱いで、館内又は構内においてスリッパで移動する場合がある。一方、館内又は構内においてスリッパで移動してるときに、地震、火事等により、緊急に避難することが求められる場合がある。そのような場合であって、靴がある場所まで戻る時間がなく、スリッパで緊急に避難する必要が生じる場合において、履いたまま、外部に素早く避難できる機能を備えるスリッパがあれば便利である。さらに、一旦外部に避難したものの、災害の被害状況によっては、構内に戻れないような場合に、外観上も普通の靴を履いたように見えるスリッパがあればさらに便利である。
【０００３】
従来、このような靴下状の部材を備えるスリッパとしては、例えば、実開平０６−５７２０１号（特許文献１）に記載のものが公知である。前記公報に記載の考案は、歩行中にスリッパの踏面の踵側がパタつくのを防止して、早く歩けるようにするために、スリッパの踏面に面フアスナの凸面片を取付け、つまかけの表面へ面フアスナの凹面片を取付け、一方これとは別に、スリッパを使用する人の靴下の踏面側へ、面フアスナの凹面片を取付けることにより、スリッパを履く際に、踵をおろせば、面フアスナの凹面片が面フアスナの凸面片に重なり、スリッパの踏面の踵部分がパタつかなくなるように構成している。
【先行技術文献】
【特許文献】
【０００４】
【特許文献１】実開平０６−５７２０１号    第１頁  図１
【考案の概要】
【考案が解決しようとする課題】
【０００５】
しかしながら、前記スリッパは、スリッパの踏面に面フアスナを取付け、靴下の踏面側に取り付けた面ファスナとを着脱自在に貼着しているため、所定の引っ張り力をかけると剥離するし、また、靴下にも面ファスナを取り付けなくてはならず、本考案の目的とする外部に素早く避難できる機能を備えると共に外観上も普通の靴を履いたように見えるスリッパには適合しない。
【０００６】
本考案は、かかる事情に鑑みてなされたものであって、スリッパに靴下状の足装着部を取り付けると共に、足装着部の円筒部を中底に折り畳んで収納しスリッパの中敷きとして使用でき、地震や火災等の災害時にスリッパを履いたまま外に飛び出した場合であっても、中底に収納した靴下を履くことにより、外観上普通の靴を履いた場合のように見え、また、避難の際に素早く行動することができるスリッパを提供することを目的とする。
【課題を解決するための手段】
【０００７】
請求項１に記載のスリッパは、スリッパの中底に、足に装着可能であって前記スリッパの中底に前記スリッパの踵部からスリッパの前方に向けて折り畳んで収納されてなる足装着部を一体的に備えることを特徴とする。
【０００８】
請求項１に記載のスリッパにあっては、通常時においては、前記足覆い部は前記中底上で折り畳まれているため、クッションのきいた状態になり、履き心地の良いものとなる。また、災害等の非常時の場合には、前記足装着部を前記収納状態から引っ張り出して、前記足装着部を靴下を履く要領で足に装着できるので、前記スリッパを前記足装着部を介して足に確実に装着でき、避難行動を迅速に行うことができると共に、前記足装着部によって、外観上、いかにも靴下を装着して普通の靴を履いた場合のように見えるので、非常時においても体裁の良いものとなる。
【０００９】
請求項２に記載のスリッパは、請求項１記載のスリッパにおいて、前記足装着部は足に装着可能な底のない略靴下形状にて形成されると共に、スリッパの底板及び中底の間に前記足装着部の周縁を折り込んで介装して形成されてなることを特徴とする。
【００１０】
請求項２に記載のスリッパにあっては、請求項１に記載のスリッパに加えて、容易かつ安価に製造することができる。
【００１１】
請求項３に記載のスリッパは、請求項１に記載のスリッパにおいて、前記足装着部は足に装着可能な有底の略靴下形状にて形成されると共に、スリッパの底板及び中底の間に前記足装着部の底を介装して形成されてなることを特徴とする。
【００１２】
請求項３に記載のスリッパにあっては、請求項１に記載のスリッパに加えて、容易かつ安価に製造することができる。
【００１３】
請求項４に記載のスリッパは、請求項１乃至請求項３の何れかに記載のスリッパにおいて、前記スリッパに折り畳んで収納された前記足装着部の上部を覆うカバー体が被覆されて形成されてなることを特徴とする。
【００１４】
請求項４に記載のスリッパにあっては、請求項１乃至請求項３の何れかに記載のスリッパに加えて、前記足装着部が外部から一見しても見えない状態で収納されるので、体裁良く収納できると共に、前記カバー体で確実に前記足装着部を収納することができる。
【００１５】
請求項５に記載のスリッパは、請求項１乃至３の何れかに記載のスリッパであって、前記スリッパの先端部に、折り畳んで収納された前記足装着部の先端部を挿入するポケット部が形成されてなることを特徴とする。
【００１６】
請求項５に記載のスリッパにあっては、請求項１乃至３の何れかに記載のスリッパに加えて、前記足装着部の先端を前記ポケットに収納することができるため、収納性に優れたものとなる。
【考案の効果】
【００１７】
請求項１に記載のスリッパによれば、スリッパの中底に、足に装着可能であって前記スリッパの中底に前記スリッパの踵部からスリッパの前方に向けて折り畳んで収納されてなる足装着部を一体的に備えているので、通常時においては、前記足覆い部は前記中底上で折り畳まれているため、クッションのきいた状態になり、履き心地の良いものとなる。また、災害等の非常時の場合には、前記足装着部を前記収納状態から引っ張り出して、前記足装着部を靴下を履く要領で足に装着できるので、前記スリッパを前記足装着部を介して足に確実に装着でき、避難行動を迅速に行うことができると共に、前記足装着部によって、外観上、いかにも靴下を装着して普通の靴を履いた場合のように見えるので、非常時においても体裁の良いものとなる。
【００１８】
請求項２に記載のスリッパによれば、請求項１記載のスリッパにおいて、前記足装着部は足に装着可能な底のない略靴下形状にて形成されると共に、スリッパの底板及び中底の間に前記足装着部の周縁を折り込んで介装して形成されているので、容易かつ安価に製造することができる。
【００１９】
請求項３に記載のスリッパによれば、請求項１に記載のスリッパにおいて、前記足装着部は足に装着可能な有底の略靴下形状にて形成されると共に、スリッパの底板及び中底の間に前記足装着部の底を介装して形成されているので、容易かつ安価に製造することができる。
【００２０】
請求項４に記載のスリッパによれば、請求項１乃至請求項３の何れかに記載のスリッパに加えて、前記スリッパに折り畳んで収納された前記足装着部の上部を覆うカバー体が被覆されて形成されているので、前記足装着部が外部から一見しても見えない状態で収納され、体裁良く収納できると共に、前記カバー体で確実に前記足装着部を収納することができる。
【００２１】
請求項５に記載のスリッパによれば、請求項１乃至３の何れかに記載のスリッパであって、前記スリッパの先端部に、折り畳んで収納された前記足装着部の先端部を挿入するポケット部が形成されているので、前記足装着部の先端を前記ポケットに収納することができ、収納性に優れたものとなる。
【図面の簡単な説明】
【００２２】
【図１】本考案に係る第１の実施例を示すスリッパの斜視図である。
【図２】第１の実施例のスリッパを示す平面図である。
【図３】第１の実施例のスリッパの靴下部を引っ張り出した状態を示す平面図である。
【図４】第１の実施例のスリッパの分解斜視部である。
【図５】第１の実施例のスリッパの要部拡大断面図である。
【図６】第１の実施例のスリッパの他の構造を示す分解斜視部である。
【図７】第１の実施例のスリッパの使用状態を示す斜視図である。
【図８】第１の実施例のスリッパの使用状態を示す要部断面図である。
【図９】本考案に係る第２の実施例を示すスリッパの斜視図である。
【図１０】（ａ）は第２の実施例のスリッパを示す平面図であり、（ｂ）は第２の実施例のスリッパの使用方法を示す平面図である。
【図１１】（ａ）は第２の実施例のスリッパの靴下部を引っ張り出した状態を示す平面図であり、（ｂ）は第２の実施例のスリッパの使用状態を示す斜視図である。
【図１２】（ａ）は第３の実施例のスリッパを示す平面図であり、（ｂ）は第３の実施例のスリッパを示す断面図である。
【図１３】（ａ）は第３の実施例のスリッパの靴下部を引っ張り出した状態を示す平面図であり、（ｂ）は第３の実施例のスリッパの使用状態を示す要部断面図である。
【考案を実施するための形態】
【００２３】
以下、本考案を実施するための最良の形態を図面に基づいて具体的に説明する。
【００２４】
図１乃至図８は本考案の第１の実施例を示す図であり、図１は スリッパの斜視図であるり、図２はスリッパを示す平面図であり、図３はスリッパの足装着部を上方に向けて引っ張り出した状態を示す平面図であり、図４はスリッパの分解斜視部であり、図５はスリッパの要部拡大断面図である。
る。
【００２５】
図１乃至図５において、１０はスリッパであり、該スリッパ１０は、概略足型状に形成した底板部１１と、前記底板部１１と略同形状に形成した中底部１２と、前記中底部１２に固着した足装着部１３と、前記スリッパ１０のやや前方に設けた甲覆い部１５とを備えて構成されている。
【００２６】
前記底板部１１および前記中底部１２は、合成樹脂板又は厚紙等で形成されており、合成樹脂製シート又は布製シート等で覆って形成してもよい。
【００２７】
前記足装着部１３は、足に履くことが可能なように、布帛等で概略靴下形状に形成して形成しているが、図４に示す足装着部１３は底のない形状に形成している。そして、図４に示すように、前記底板部１１と前記中底部１２の間に、前記足装着部１３の周縁を折り込んで、前記底板部１１と前記中底部１２を接着剤等で固着したうえで、前記底板部１１と前記中底部１２の周縁をバイアステープ１４で覆い、前記底板部１１と前記中底部１２と前記足装着部１３とを糸１６により縫着している。
【００２８】
図６は、第１の実施例のスリッパの他の構造を示す分解斜視部である。前記足装着部１３は底のない形状に形成しているが、図６に示すように、足装着部１７を有底状に形成してもよい。この場合は、前記足装着部１７の中に、前記中底部１２を挿入して前記底板部１１に固着し、その周縁を糸１６により縫着して形成するとよい。前記スリッパ１０をこのような構造とすると、前記足装着部１７は、一般的な靴下を利用して形成することができるため、製造がより容易となる。
【００２９】
そして、上記のように構成されたスリッパ１０を通常に使用する場合には、図１及び図２に示すように、前記足装着部１３は、前記足装着部１３の先端が前記甲覆い部１５の下に位置するように、前記スリッパ１０の踵部からスリッパ１０の前方に向けて折り畳んで収納されている。したがって、前記スリッパ１０の通常の使用状態においては、前記足覆い部１３が前記中底部１２上で折り畳まれているため、クッションのきいた状態になり、履き心地の良いものとなる。また、前記足装着部１３の先端も前記甲覆い部１５の下方に位置しているため、前記足装着部１３は収まり具合の良いものとなる。
【００３０】
一方、災害等の非常時の場合には、図３に示すように、前記足装着部１３を前記収納状態から引っ張り出して、図７及び図８に示すように、前記足装着部１３を、靴下を履く要領で足Ｆに装着して避難等を行うのである。この場合にあっては、前記スリッパ１０は、前記足装着部１３，１７を介して足Ｆに確実に装着されているため、避難行動を迅速に行うことができ、また、前記足装着部１３，１７によって、外観上、いかにも靴下を装着して普通の靴を履いた場合のように見えるので、非常時においても体裁の良いものとなる。
【００３１】
図９乃至図１１は、第２の実施例に係るスリッパを示す図であり、図９は第２の実施例を示すスリッパの斜視図であり、図１０（ａ）は第２の実施例のスリッパを示す平面図であり、（ｂ）は第２の実施例のスリッパの使用方法を示す平面図であり、図１１（ａ）は第２の実施例のスリッパの靴下部を引っ張り出した状態を示す平面図であり、（ｂ）は第２の実施例のスリッパの使用状態を示す斜視図である。第２の実施例のスリッパにおいて、第１のスリッパ１０と共通する部材は、同一の符合を付して説明を省略する。
【００３２】
図９乃至図１１中、２０は本考案に係る第２の実施例を示すスリッパであり、前記スリッパ２０は、前記スリッパ１０の前記足装着部１３（１７）を折り畳んで収納した状態において、前記足装着部１３（１７）の上部に、さらにシート状のカバー２１を被覆して前記底板１１及び前記中底１２と共に前記バイアステープ１４で覆い、糸１６により縫着して形成したものである。
【００３３】
図９乃至図１１に示すように、前記カバー２１は、例えば、薄手の合成樹脂材または不織布等で形成されたものであって、前記カバー２１の周縁には、前記カバー２１を前記スリッパ２０から切離可能とするために、切取線２２が刻設されている。
【００３４】
そして、前記スリッパ２０を災害等の非常時に使用する場合には、図１０（ｂ）に示すように、前記カバー２１を摘んで前記切取線２２から切り取り、前記１１（ａ）に示すように、前記足装着部１３（１７）を収納状態（前記カバー２１の下に折り畳まれた状態で収納）から引っ張り出して、図１１（ｂ）に示すように、足Ｆに装着するのである。
【００３５】
前記スリッパ２０によると、前記足装着部１３（１７）は、外部から一見しても見えない状態で収納されるので、体裁良く収納できると共に、前記カバー２１で確実に前記足装着部１３（１７）を収納することができる。
【００３６】
図１２及び図１３は、第３の実施例に係るスリッパを示す図であり、図１２（ａ）は第３の実施例のスリッパを示す平面図であり、（ｂ）は第３の実施例のスリッパを示す断面図である。また、図１３（ａ）は第３の実施例のスリッパの靴下部を引っ張り出した状態を示す平面図であり、（ｂ）は第３の実施例のスリッパの使用状態を示す要部断面図である。第３の実施例のスリッパにおいて、第１のスリッパ１０と共通する部材は、同一の符合を付して説明を省略する。
【００３７】
図１２及び図１３中、３０は本考案に係る第３の実施例を示すスリッパであり、前記スリッパ３０は、前記スリッパ３０の前方に、前記足装着部１３（１７）の先端を収納するポケット３１を形成したものである。
【００３８】
図１２及び図１３に示すように、前記ポケット３１は、平面視略半円状の薄手の合成樹脂材または不織布等で形成されたものであって、円周部を前記スリッパ３０の先端部に縫着して、略直線部を前記スリッパ３０の内方の向けて開放して形成されており、全体としてポケット状に形成されている。
【００３９】
前記ポケット３１は、前記足装着部１３（１７）が折り畳まれた状態において、その先端部を挿入し収納できるように形成されている。
【００４０】
そして、前記スリッパ３０を災害等の非常時に使用する場合には、図１３（ｂ）に示すように、前記足装着部１３（１７）の先端を前記ポケット３１から出して、前記足装着部１３（１７）を収納状態から引っ張り出して、図１３（ｂ）に示すように、足Ｆに装着するのである。
【００４１】
前記スリッパ３０によると、前記足装着部１３（１７）は、その先端を前記ポケット３１に収納することができるため、収納性に優れたものとなる。
【符号の説明】
【００４２】
１０    スリッパ（第１実施例）
１１    底板
１２    中底
１３    足装着部
１４    バイアステープ
１５    甲覆い部
１６    縫製糸
１７    他の足装着部
２０    スリッパ（第２実施例）
２１    カバー
２２    切取線
３０    スリッパ（第３実施例）
３１    ポケット
【図１】
0003174048.tif 000003
【図２】
0003174048.tif 000004
【図３】
0003174048.tif 000005
【図４】
0003174048.tif 000006
【図５】
0003174048.tif 000007
【図６】
0003174048.tif 000008
【図７】
0003174048.tif 000009
【図８】
0003174048.tif 000010
【図９】
0003174048.tif 000011
【図１０】
0003174048.tif 000012
【図１１】
0003174048.tif 000013
【図１２】
0003174048.tif 000014
【図１３】
0003174048.tif 000015